(57)【要約】  【課題】  本発明の目的の１つは、送信開始までの時間を短縮することである。  【解決手段】  本発明では、送信信号に対して歪み補償処理を施してから増幅する歪み補償装置において、前記歪み補償処理に用いられる係数を記憶するための係数記憶部と、該係数の初期値を記憶する初期値記憶部と、前記係数記憶部への初期書き込みに際して、該初期値記憶部に記憶された係数のうち、第１の部分に対応する係数に制限して前記係数記憶部に記憶させ、第２の部分に対応する係数についてはその後前記係数記憶部に記憶させる制御を行なう制御部と、を備えたことを特徴とする歪み補償装置を用いる。【選択図】        図１
2006050073.tif 000002
【特許請求の範囲】
【請求項１】
送信信号に対して歪み補償処理を施してから増幅する歪み補償装置において、
前記歪み補償処理に用いられる係数を記憶するための係数記憶部と、
該係数の初期値を記憶する初期値記憶部と、
前記係数記憶部への初期書き込みに際して、該初期値記憶部に記憶された係数のうち、第１の部分に対応する係数に制限して前記係数記憶部に記憶させ、第２の部分に対応する係数についてはその後前記係数記憶部に記憶させる制御を行なう制御部と、
を備えたことを特徴とする歪み補償装置。
【請求項２】
前記第１の部分の係数は、前記第２の部分の係数に対して、送信信号のレベルがより大きいレベルに対応する、
ことを特徴とする請求項１記載の歪み補償装置。
【請求項３】
前記制御部は、前記第２の部分は、初期書き込みに対して所定時間経過後に行なうように制御する、
ことを特徴とする請求項１記載の歪み補償装置。
【請求項４】
前記係数記憶部に記憶した係数を更新する係数更新部を備え、
前記制御部は、前記第１の部分に対応する係数の前記係数記憶部への記憶後、該記憶した第１の部分に対応する係数の前記更新を許容し、前記第２の部分に対応する係数の前記係数記憶部への記憶の際には、該更新を規制する、
ことを特徴とする請求項１記載の歪み補償装置。
【請求項５】
前記係数記憶部に前記第１の部分に対応する係数を記憶した後であって、前記第２の部分に対応する係数を記憶する前について、前記歪み補償処理に用いる係数を、前記第１の部分に対応する係数に制限する制限部、
を備えたことを特徴とする請求項１記載の歪み補償装置。
【請求項６】
前記制限部は、前記係数記憶部への前記第２の部分に対応する係数の記憶後に前記制限を行なわないように制限の解除を行なう、
ことを特徴とする請求項５記載の歪み補償装置。
【請求項７】
前記初期書き込み後に、前記送信信号のレベルが所定のレベル以上で入力されることが予定されている場合には、前記第１の部分は前記第２の部分に対して高いレベルの送信信号に対応する係数とする、
ことを特徴とする請求項１記載の歪み補償装置。
【請求項８】
前記初期書き込み後に、所定時間にわたって、前記送信信号のレベルが所定のレベル以下で入力されることが予定されている場合には、前記第１の部分は前記第２の部分に対して低いレベルの送信信号に対応する係数とする、
ことを特徴とする請求項１記載の歪み補償装置。
【請求項９】
前記第１の部分に対応する係数の前記係数記憶部への記憶後、前記増幅器の出力信号の歪みを検出する歪み検出部を備え、
前記制御部は、該歪み検出部における検出結果に応じて、前記前記第２の部分に対応する係数の前記係数記憶部への記憶制御を実行する、
ことを特徴とする請求項１記載の歪み補償装置。
【請求項１０】
前記第１の部分に対して、前記第２の部分は、送信信号のレベルがより小さいレベルに対応する係数であり、
前記制御部は、前記歪み補償を行なわない場合において前記第１の部分に対応する送信信号のレベルを入力した際に、前記増幅器で発生するであろう歪み量よりも所定だけ小さい歪み量を前記歪み検出部が検出した場合に、前記第２の部分に対応する係数に関する前記記憶制御を実行する、
ことを特徴とする請求項９記載の歪み補償装置。
【請求項１１】
送信信号に対して歪み補償処理を施してから増幅する歪み補償装置において、
前記歪み補償処理に用いられる係数を記憶するための係数記憶部と、
該係数の初期値を記憶する初期値記憶部と、
該初期値記憶部に記憶された係数のうち、第１の部分に対応する係数を該係数記憶部に記憶した後に、該第１の部分に対応する係数を用いた前記歪み補償処理を施した信号を送信させつつ、第２の部分に対応する係数について前記係数記憶部に記憶させる制御を行なう制御部と、
を備えたことを特徴とする歪み補償装置。
【発明の詳細な説明】
【技術分野】
【０００１】
本発明は、歪み補償装置に関し、例えば、移動通信システムで用いられる無線基地局の送信用増幅器に用いて好適な歪み補償装置に関する。
【背景技術】
【０００２】
移動通信システムにおける無線基地局は、移動局に対して大電力で送信を行うため、電力増幅器で発生する歪みを低減するために歪み補償装置を備えている。
【０００３】
歪み補償の方式としては、種々の方式があるが、その１例として、プレディストーション方式が挙げられる。
【０００４】
プレディストーション方式とは、予め増幅器への入力前の信号に対して、増幅器で発生する歪みに対して逆の歪み特性を与えることにより、増幅後の信号の歪みを低減する方式である。
【０００５】
ここで、増幅器で発生する歪みは、入力信号（特に入力信号のレベル）によって変化するため、入力信号を関数として、逆の歪み特性を与えるための係数（歪み補償係数）を算出し、この係数に基づいて入力信号を補正することが好ましい。
【０００６】
従って、プレディストーション方式では、入力信号から生成されるアドレスに対応させて歪み補償係数を記憶する係数テーブル（ＬＵＴ：Look Up Table）を用いられる。
【０００７】
尚、係数テーブルは、電源起動やリセットをトリガとして、専用回路により高速に係数を書き込み、運用開始前には、全ての係数をセット完了とされる。
【０００８】
プレディストーション方式について開示した発明として次の特許文献がある。
【特許文献１】特開２００１−２６７８５０号公報
【発明の開示】
【発明が解決しようとする課題】
【０００９】
先に説明した背景技術によれば、歪み補償装置における係数テーブルは、電源起動やリセットをトリガとして、専用回路により高速に係数を書き込まれる。
【００１０】
しかし、きめ細やかな歪み補償を行うためには、入力信号の微妙な変化に対してそれぞれ歪み補償係数を記憶しなければならず、書き込むべき係数データが増大し、書き込み完了まで時間を要することとなり、運用開始により増幅器からの信号の送信が開始されるまで長時間かかることとなる。
【００１１】
そこで、本発明の目的の１つは、送信開始までの時間を短縮することである。
【００１２】
尚、上記目的に限らず、後述する発明を実施するための最良の形態に示す各構成により導かれる効果であって、従来の技術によっては得られない効果を奏することも本発明の目的の１つとして位置付けることができる。
【課題を解決するための手段】
【００１３】
（１）本発明では、送信信号に対して歪み補償処理を施してから増幅する歪み補償装置において、前記歪み補償処理に用いられる係数を記憶するための係数記憶部と、該係数の初期値を記憶する初期値記憶部と、前記係数記憶部への初期書き込みに際して、該初期値記憶部に記憶された係数のうち、第１の部分に対応する係数に制限して前記係数記憶部に記憶させ、第２の部分に対応する係数についてはその後前記係数記憶部に記憶させる制御を行なう制御部と、を備えたことを特徴とする歪み補償装置を用いる。
（２）本発明では、前記第１の部分の係数は、前記第２の部分の係数に対して、送信信号のレベルがより大きいレベルに対応する、ことを特徴とする（１）記載の歪み補償装置を用いる。
（３）本発明では、前記制御部は、前記第２の部分は、初期書き込みに対して所定時間経過後に行なうように制御することを特徴とする（１）記載の歪み補償装置を用いるを用いる。
（４）本発明では、前記係数記憶部に記憶した係数を更新する係数更新部を備え、前記制御部は、前記第１の部分に対応する係数の前記係数記憶部への記憶後、該記憶した第１の部分に対応する係数の前記更新を許容し、前記第２の部分に対応する係数の前記係数記憶部への記憶の際には、該更新を規制する、ことを特徴とする（１）記載の歪み補償装置を用いる。
（５）本発明では、前記係数記憶部に前記第１の部分に対応する係数を記憶した後であって、前記第２の部分に対応する係数を記憶する前について、前記歪み補償処理に用いる係数を、前記第１の部分に対応する係数に制限する制限部を備えたことを特徴とする（１）記載の歪み補償装置を用いる。
（６）本発明では、前記制限部は、前記係数記憶部への前記第２の部分に対応する係数の記憶後に前記制限を行なわないように制限の解除を行なう、ことを特徴とする（５）記載の歪み補償装置を用いる。
（７）本発明では、前記初期書き込み後に、前記送信信号のレベルが所定のレベル以上で入力されることが予定されている場合には、前記第１の部分は前記第２の部分に対して高いレベルの送信信号に対応する係数とすることを特徴とする（１）記載の歪み補償装置を用いる。
（８）本発明では、前記初期書き込み後に、所定時間にわたって、前記送信信号のレベルが所定のレベル以下で入力されることが予定されている場合には、前記第１の部分は前記第２の部分に対して低いレベルの送信信号に対応する係数とすることを特徴とする（１）記載の歪み補償装置を用いる。
（９）本発明では、前記第１の部分に対応する係数の前記係数記憶部への記憶後、前記増幅器の出力信号の歪みを検出する歪み検出部を備え、前記制御部は、該歪み検出部における検出結果に応じて、前記前記第２の部分に対応する係数の前記係数記憶部への記憶制御を実行する、ことを特徴とする（１）記載の歪み補償装置を用いる。
（１０）本発明では、前記第１の部分に対して、前記第２の部分は、送信信号のレベルがより小さいレベルに対応する係数であり、前記制御部は、前記歪み補償を行なわない場合において前記第１の部分に対応する送信信号のレベルを入力した際に、前記増幅器で発生するであろう歪み量よりも所定だけ小さい歪み量を前記歪み検出部が検出した場合に、前記第２の部分に対応する係数に関する前記記憶制御を実行する、ことを特徴とする（９）記載の歪み補償装置を用いる。
（１１）本発明では、送信信号に対して歪み補償処理を施してから増幅する歪み補償装置において、前記歪み補償処理に用いられる係数を記憶するための係数記憶部と、該係数の初期値を記憶する初期値記憶部と、該初期値記憶部に記憶された係数のうち、第１の部分に対応する係数を該係数記憶部に記憶した後に、該第１の部分に対応する係数を用いた前記歪み補償処理を施した信号を送信させつつ、第２の部分に対応する係数について前記係数記憶部に記憶させる制御を行なう制御部と、を備えたことを特徴とする歪み補償装置を用いる。
【発明の効果】
【００１４】
本発明にかかる歪み補償装置によれば、送信開始までの時間を短縮することができることとなる。
【発明を実施するための最良の形態】
【００１５】
以下、図面を参照することにより、本発明の実施の形態について説明する。
【００１６】
〔ａ〕第１実施形態の説明
本実施形態では、係数テーブルの書き込み方を工夫する。
・「歪み補償装置」
次に図１を用いて、本発明に係る歪み補償装置について説明する。
【００１７】
図１は、本発明に係る歪みの補償装置を示す図である。このような歪み補償装置は、移動通信システムにおける無線基地局の送信用増幅ユニットとして用いることができる。もちろん、移動通信に限らず、一般の無線装置に適用することもできる。
【００１８】
図において、１は入力信号に対して所定の遅延を与える第１遅延部、２は入力信号に応じてアドレスを出力するアドレス生成部、３は歪み補償処理に用いる歪み補償係数を記憶するための係数記憶部（ＬＵＴ）、４は歪み補償係数を用いてプレディストーションを行なう歪み補償部、５はＤ／Ａ変換部、６は歪み補償の対象である増幅器、７は増幅後の信号の一部をフィードバック信号として抽出するためのカプラ、８はＡ／Ｄ変換部、９は第所定の遅延を与える第２遅延部、１０は係数記憶部３に記憶している係数の更新を行なう係数更新部、１１は係数記憶部３に記憶する対象の歪み補償係数を記憶する初期値記憶部、１２は各ブロックの制御を行う制御部（例えば汎用のプロセッサも用いる）、１３はフィードバック信号に含まれる歪み量を検出して制御部１２に通知する歪み検出部を示す。
・「歪み補償装置の動作」
次に図１に示した歪み補償装置における動作について説明する。
【００１９】
歪み補償装置に入力された送信信号としてのｘ（ｔ）は、第１遅延部１において、所定の遅延が与えられた後に、歪み補償部４に入力される。ここで、所定の遅延を与えるのは、送信信号であるｘ（ｔ）に基づいて、係数記憶部３から歪み補償係数ｈ（ｐ）を出力するために必要とされる時間を確保するためである。
【００２０】
即ち、ｘ（ｔ）は、アドレス生成部２に入力され、そのレベルに応じたアドレスｐが出力される。
【００２１】
係数記憶部３は、そのアドレスに記憶している歪み補償係数を読み出して、ｈ（ｐ）として歪み補償部４に与えるのである。
【００２２】
歪み補償処理部４は、送信信号ｘ（ｔ）に対して、係数記憶部３からの歪み補償係数ｈ（ｐ）を用いて、増幅器における歪み特性に対して、逆の歪み特性を与えることにより、プレディストーションを実行する。
【００２３】
即ち、増幅器６の歪み特性をＦ（ｐ）、Ｇを線型増幅係数とすると、
ｈ（ｐ）×Ｆ（ｐ）＝Ｇ
となるようなｈ（ｐ）を送信信号ｘ（ｔ）に乗算することで、
ｙ（ｔ）＝Ｆ（ｐ）×ｈ（ｐ）×ｘ（ｔ）＝Ｇ・ｘ（ｔ）
のように、送信信号の線形的な増幅を実現するのである。
【００２４】
歪み補償部４で、歪み補償処理された送信信号は、Ｄ／Ａ変換部５でアナログ信号に変換され、増幅器６によって増幅される。
【００２５】
ここで、送信信号のレベルが大きいほど増幅器６において発生する歪み量も増大するが、歪み補償処理部４において、予め逆特性の歪みが与えられているため、その出力は線形化することとなる。
【００２６】
さて、増幅器６からの増幅後の信号は、送信信号として出力されることとなるが、その一部をカプラ７により抽出し、フィードバック信号として利用される。
【００２７】
即ち、Ａ／Ｄ変換部８によって、デジタル信号に変換され、係数更新部１０に与えられる。
【００２８】
係数更新部１０は、送信信号であるｘ（ｔ）を第２遅延部９において遅延させたものも同時に入力されており、この２つの入力を比較することで係数記憶部３における係数の更新を行う。
【００２９】
即ち、係数記憶部３における歪み補償係数にずれが生じていても、更新すべき歪み補償係数をｈ’（ｐ）とすると、
ｈ’（ｐ）＝Ｇ÷Ｆ（ｐ）＝Ｇ・ｘ（ｔ）・ｈ（ｐ）÷ｙ（ｔ）
により求まるため、求めたｈ’（ｐ）を対応するｈ（ｐ）に替えて記憶させることで、更新を行うことができる。
【００３０】
以上のように、図１に示した歪み補償増幅装置は、フォードバック信号を用いて、歪み補償係数を更新しつつ、プレディストーションを行うことができるのである。
・「係数記憶部３への初期書き込み」
次に、係数記憶部３への初期書き込みを行う際の手順について説明する。
【００３１】
歪み補償処理を行うには、係数記憶部３に、各送信信号のレベルに応じた歪み補償係数を予め記憶しておく必要がある。
【００３２】
しかし、この歪み補償増幅装置を搭載した無線基地局の起動時、この歪み補償増幅ユニットのリセット時等において、係数記憶部３における記憶内容を用いることは不可能か又は好ましくない。
【００３３】
従って、その場合は、初期値記憶部１１から歪み補償係数を読み出して、係数記憶部３に記憶させる制御（初期書き込み）が必要となる。
【００３４】
しかし、先に説明したように、歪み補償係数はきめ細やかな歪み補償を実行しようとするほど、係数データのデータ量が増大し、係数記憶部３への記憶制御に要する時間が長くなるという問題がある。
【００３５】
そこで、この実施形態では、初期値記憶部に記憶している係数を第１の部分と、第２の
部分に分け（もちろん、更に３以上の部分に分けてもよい）、初期書き込みを行う際には、まず第１の部分に制限して書き込みを行い、第２の部分についてはその後書き込みように制御部１２が制御するのである。
【００３６】
このようにすることで、この歪み補償増幅装置を搭載した無線基地局の起動時、この歪み補償増幅ユニットのリセット時等において、初期書き込みを行う歪み補償係数のデータ量が制限されることとなり、高速に初期書き込みを完了し、当該歪み補償増幅器から出力される増幅後の信号の送信を開始し、その後、残りの歪み補償係数を適宜書き込むことができ、送信開始までに要する時間が短縮されることとなる。
・「書き込み順に関する配慮」
更に、歪み補償係数の書き込み順に対する配慮を行うことは有用である。
【００３７】
即ち、先に説明したように、増幅器における歪みの発生量は、送信信号が大きくなる程増大し、抑制する必要が高い。
【００３８】
そこで、この実施形態では、初期書き込みを行う第１の部分は、送信信号のレベルが高い部分に対応する歪み補償係数（好ましくは、送信信号として入力される可能性のある最大の送信レベルを含む所定のレベル範囲に対応する歪み補償係数）とし、その後書き込みを行う第２の部分は、第１の部分に対して、送信信号のレベルが低い部分に対応する歪み補償係数とするのである。
【００３９】
尚、この制御は、制御部１２が、初期値記憶部１１から読み出して、係数記憶部３に記憶させるデータを第１の部分、第２の部分で区別して行なうことで可能である。
【００４０】
以上のような配慮を行うことで、係数記憶部１１に最初に設定するデータは、比較的送信信号が大きい場合の歪み補償係数となり、全ての歪み補償係数の記憶前に、送信を開始したとしても、発生する歪みがあまりに大きくなってしまうことを防ぐことができる。
【００４１】
また、第２の部分については、制御部１２が、第１の部分についての初期書き込みから所定時間経過したことを検出した場合に、行なうことができる。
【００４２】
もちろん他の部分もあれば、送信信号のレベルが大きい順に所定時間経過後とに順に、係数記憶部３への書き込みを行なうこともできる。
【００４３】
好ましくは、第１の部分の初期書き込み後、第２の部分の書き込みを行うまでの間に、第１の部分についての歪み係数の更新を係数更新部１０により実行することが好ましい。
【００４４】
第２の部分の書き込みまでの時間を有効に利用して、送信信号のレベルが大きい部分についての歪み補償係数の最適化処理を進めることができるからである。
【００４５】
尚、更新の許可は制御部１２が、係数更新部１０に対して制御信号の送信により実行することが好ましい。第２の部分の書き込みに際しては、係数記憶部３において書き込みが同時に生ずることがないように制御部１２は、更新を規制する制御信号を係数更新部１０に与えることが好ましい。
・「初期書き込み後全ての歪み補償係数が記憶されるまでの配慮」
図２は、制限部としてのアドレス生成部２の構成を示す図である。
【００４６】
図において、２１は送信信号であるｘ（ｔ）のレベルを算出するレベル算出部、２２は制御部１２から指定された基準値を出力する基準値出力部、２３はレベル算出部２１からのレベルと基準値とを比較し、大きい方を選択的に出力（同じ場合は、レベル算出部２１を選択）する比較部、２４は比較部２３からの信号をアドレス情報に変換して出力するアドレス変換部をそれぞれ示す。
【００４７】
係数記憶部３に第１の部分についての係数は記憶されたものの、第２の部分についての係数が記憶されていない状態において、送信信号ｘ（ｔ）のレベルに基づいて変換された先のアドレスが第２の部分用の記憶領域である場合は、エラーとなってしまう。
【００４８】
そこで、この実施形態では、制御部１２は、初期書き込みで既に書き込みを完了している歪み補償係数であって、送信信号のレベルが最小のレベルを、初期書き込み後までに、基準値として基準値出力部２２に設定する。
【００４９】
従って、初期書き込み後入力された送信信号ｘ（ｔ）が基準値より大きい場合は、比較部２３により選択され、アドレス変換部２４により、第１の部分に対応する記憶領域のアドレスが出力され、歪み補償係数が適性に読み出されることとなる。
【００５０】
そして、初期書き込み後入力された送信信号ｘ（ｔ）が基準値より小さい場合は、比較部２３に基準値が選択され、アドレス変換部２４により、第１の部分であって、送信信号のレベルが最小のものに対応する歪み補償係数のアドレスが出力されることとなる。
【００５１】
このように、いまだ書き込みが完了していない部分に対応する送信信号が入力された場合でも、歪み補償係数が出力されることとなる。
【００５２】
尚、他の案として、初期書き込みで既に書き込みを完了している歪み補償係数であって、送信信号のレベルが最小のレベルに対して１ステップ小さいレベルを基準値として制御部１２は設定しておき、そのレベルをアドレス変換部２４で変換した場合には、歪み補償係数として、ｘ（ｔ）が変化しないような値を記憶させておくこともできる。
【００５３】
このようにすることで、書き込みが行われていない送信信号については、歪み補償処理を施すことを断念することで、不適正な歪み補償処理が施される可能性を低減するのである。
【００５４】
以上のように、制御部１２は、基準値を制御して、歪み補償処理に用いる歪み補償係数を第１の部分に制限することができるが、もちろん、第２の部分についての係数記憶部３への書き込みが完了した場合は、基準値を下げ、第２の部分についても歪み補償係数として参照可能とすることが望ましい。
・「多段書き込み」
先の例では、２段階の書き込みについて主に説明したが、更に多段に書き込みを行う場合について図３〜５を用いて説明する。
【００５５】
図３は、増幅器における歪み曲線を示す図である。
【００５６】
先に説明したように、増幅器の出力電力が大きい（入力信号が大きい）ほど、歪みは増大することがわかる。
【００５７】
尚、歪み規格値とは、歪み補償増幅装置として許される、最大の歪み発生量を示すものであり、歪み補償増幅器は基本的にこれ以上の歪みの発生を抑える必要がある値である。
【００５８】
出力電力がＡ〜Ｂ１の間は、歪み補償処理なしには、歪み規格値を超えており、一方、Ｂ２〜Ｂ１、Ｃ〜Ｂ２の間は歪み補償処理なしであっても、歪み規格値以下である。
【００５９】
従って、この場合は、図４に示すように、係数記憶部３（ＬＵＴ）には、初期書き込みとして、まず、電力Ａ〜Ｂ１部分の書き込みを行ない、次に、Ｂ１〜Ｂ２部分の書き込みを行い、最後に電力Ｂ２〜Ｃ部分についての書き込みを行なうことが望ましい。
【００６０】
これの時系列的に示した図が図５であり、この歪み補償増幅装置を搭載した無線基地局の起動、この歪み補償増幅ユニットのリセットにより各種設定が「開始」され、所定時間の起動時間経過後、送信を開始すべき運用時間となるが、背景技術で説明したような手法によれば、図のように、歪み補償係数についてのデータが膨大なため、送信を開始すべき運用時間になってもまだ、係数記憶部３（ＬＵＴ）の設定が完了していないことがわかる。
【００６１】
一方、本実施形態のごとく、複数段書き込み（ＬＵＴ分割方式）を行なった場合は、図のように、起動時間内に、歪み規格値を超えてしまう可能性のある入力信号についての歪み補償係数の設定は完了しており、運用開始により、送信を開始したとしても、歪み規格値を超える歪みの発生を抑制することができる。
【００６２】
その後、先に説明したように、係数記憶部３におけるＡ〜Ｂ１についての更新が実行され、更新を中止する際に、電力Ｂ１〜Ｂ２についての歪み補償係数の係数記憶部３への書き込みが実行される。
【００６３】
電力Ｂ１〜Ｂ２についての更新、電力Ｂ２からＣについての書き込みもその後同様に実行される。
【００６４】
このように、この実施形態では、多段に書き込みを行いつつ、歪み規格値を超える歪みの発生を防止しつつ、送信の早期開始を実現することができる。
・「起動・リセットの種類に応じた初期書き込み制御」
この実施形態では、この歪み補償増幅装置を搭載した無線基地局が起動される場合と、この歪み補償増幅ユニットだけリセットされる場合などによって、初期設定後入力される送信信号のレベルが大きく異なることがあることに配慮する。
【００６５】
即ち、この歪み補償増幅装置を搭載した無線基地局が起動される場合等は、図６に示した上側の図から明らかなように、初期設定が完了してから、運用が開始されても、送信信号のレベルは０から徐々の増加するし、送信信号が、図３で示した歪み規格値を超える可能性のあるレベルにまで送信信号のレベルが上昇するまでに△ｔで示す時間だけまだ余裕があることがある。
【００６６】
これは、送信を中断していて即再開するケースではないため、送信すべき信号も当初は少なく、このように送信信号のレベルも徐々に増加することとなる。
【００６７】
従って、このように、所定レベル（例えば、歪み規格値に達する可能性のあるレベル基準）以下で所定時間送信信号が入力されることが予定されている場合には、初期書き込みの対象とするのは、図３における電力Ｂ１〜Ｂ２又はＢ２〜Ｃに対応する歪み補償係数とし、所定時間（△ｔ）経過するまでに、電力Ａ〜Ｂ１についての書き込みを完了させることが望ましい。
【００６８】
これにより、△ｔの間における歪みも、電力Ｂ１〜Ｂ２又はＢ２〜Ｃに対応する歪み補償係数の利用により、効果的に抑制され、更に、送信信号のレベルが高くなった場合についても、電力Ａ〜Ｂ１についての歪み補償係数の利用により歪みは効果的に抑制される。
【００６９】
一方、この歪み補償増幅ユニットだけリセットされる場合等は、図６に示した下側の図から明らかなように、初期設定の完了後、いきなり歪み規格値を超える可能性のある、大きいレベルの送信信号入力される。
【００７０】
これは、送信を中断していて即再開するケースであるため、送信すべき信号も多く、このように送信信号のレベルも最初から高いのである。
【００７１】
従って、このように、所定レベル（例えば、歪み規格値に達する可能性のあるレベル基準）以上で所定時間送信信号が入力されることが予定されている場合には、初期書き込みの対象とするのは、図３における電力Ａ〜Ｂ１に対応する歪み補償係数とし、その後段階的に、電力Ｂ１〜Ｂ２又はＢ２〜Ｃに対応する歪み補償係数を書き込むことが望ましい。
【００７２】
好ましくは、制御部１２は、この歪み補償増幅装置を搭載した無線基地局が起動される場合、この歪み補償増幅ユニットだけリセットされる場合等をそれぞれ異なるモードとして識別し、識別したモードにより、対応する初期書き込み制御を選択的に実行する。
【００７３】
〔ｂ〕第２実施形態の説明
本実施形態では、第１実施形態において、先行して初期書き込みを行った第１の部分についての歪み補償係数に対して、第２の部分についての歪み補償係数の書き込み次期を制御する。
【００７４】
図１において、歪み検出部１３が示されているが、歪む検出部１３は、カプラ７により抽出し、Ａ／Ｄ変換部８により、デジタル信号に変換されフィードバック信号について歪み検出を行う。
【００７５】
そして、制御部１２は、歪み検出部１３において検出された歪み量に応じて第２の部分についての書き込み制御を実行する。
【００７６】
即ち、歪み検出部１３としては、例えば、デジタルフィードバック信号に対してＦＦＴ
処理を施し、送信信号の帯域外に存在する歪み成分のレベルを検出し、その検出結果を制御部１２へ通知する。
【００７７】
制御部１２は、例えば図３で示した歪み規格値から所定値小さい歪み量である書き込み基準値と通知された歪み量を比較し、通知された歪み量が、書き込み基準値を超える場合には、第１の部分（電力Ａ〜Ｂ１等に対応する歪み補償係数）についての更新処理を即中止し、第２の部分（電力Ｂ１〜Ｂ２に対応する歪み補償係数）の書き込み制御を実行するする。
【００７８】
歪み規格値には至らないものの、補済み補償係数の更新による歪み補償の精度の向上によりも優先して歪み補償係数の書き込みを行った方が送信される歪み量をより小さい値に抑えることができる可能性が高いからである。
【００７９】
尚、第１実施形態、第２実施形態において、第１の部分に対して第２の部分を少なくとも所定時間後に設定することとしたが、必ずしも所定時間経過後にだけ第２の部分の設定するのではなく、第１の部分の設定後、第１の部分に対応する歪み補償係数を用いた歪み補償処理を施した信号の送信を行いつつ、第２の部分について継続的に係数記憶部３に書き込みを行なうこともできる。
【００８０】
尚、好ましくは、第２の部分の書き込み中においては、第１の部分についての更新を行なわないように、制御部１２は係数更新部１０を制御することが望ましい。
【図面の簡単な説明】
【００８１】
【図１】本発明に係る歪み補償装置を示す図である。
【図２】本発明に係るアドレス生成部の詳細図を示す図である。
【図３】増幅器における歪み曲線を示す図である。
【図４】係数記憶部（ＬＵＴ）の記憶内容を示す図である。
【図５】ＬＵＴ設定方法を示す図である。
【図６】装置起動時、送信増幅器リセット時における書き込み領域を示す図である。
【符号の説明】
【００８２】
１    第１遅延部
２    アドレス生成部
３    係数記憶部（ＬＵＴ）
４    歪み補償部
５    Ｄ／Ａ変換部
６    増幅器
７    カプラ
８    Ａ／Ｄ変換部
９    第２遅延部
１０  係数更新部
１１  初期値記憶部
１２  制御部
１３  歪み検出部
２１  レベル算出部
２２  基準値出力部
２３  比較部
２４  アドレス変換部
【図１】
2006050073.tif 000003
【図２】
2006050073.tif 000004
【図３】
2006050073.tif 000005
【図４】
2006050073.tif 000006
【図５】
2006050073.tif 000007
【図６】
2006050073.tif 000008